(57)【要約】【課題】股を大きく開くことができない人にも、装着作業が容易でフィット性が良好な吸収性物品を提供する。【解決手段】透液性の表面シート２０と、裏面シート３０と、表面シート２０と裏面シート３０との間に介装される吸収体６０とを備える吸収性物品１において、吸収体６０には、当該吸収体６０の幅方向略中央にて、吸収性物品１の長手方向に延在する略直線状の第１溝部７１と、当該吸収体６０の幅方向略中央を基点として、腹側部１１から背側部１２に向けて開く略Ｖ字状の第２溝部７２とが設けられており、第２溝部７２には、腹側部１１に配された腹側第２溝部７２ａと、股間部１３に配された中央第２溝部７２ｂとが含まれており、中央第２溝部７２ｂは、腹側第２溝部７２ａよりも、背側部１２に向けて開く角度が小さくなるよう構成されている。【選択図】図３
2014195529.tif 000002
【特許請求の範囲】
【請求項１】
透液性の表面シートと、裏面シートと、前記表面シートと前記裏面シートとの間に介装される吸収体とを備える吸収性物品において、
当該吸収性物品の長手方向一端部が、装着時に着用者の腹側に位置する腹側部を形成し、
当該吸収性物品の長手方向他端部が、装着時に着用者の背側に位置する背側部を形成し、
当該吸収性物品の長手方向中央部が、装着時に着用者の股間に位置する股間部を形成し、
前記吸収体には、
当該吸収体の幅方向略中央にて、前記長手方向に延在する略直線状の第１溝部と、
当該吸収体の幅方向略中央を基点として、前記腹側部から前記背側部に向けて開く略Ｖ字状の第２溝部とが設けられており、
前記第２溝部には、
前記腹側部に配された腹側第２溝部と、
前記股間部に配された中央第２溝部とが含まれており、
前記中央第２溝部は、前記腹側第２溝部よりも、前記背側部に向けて開く角度が小さいことを特徴とする吸収性物品。
【請求項２】
前記中央第２溝部は、複数設けられており、
複数の前記中央第２溝部のうち最も前記腹側第２溝部に近い中央第２溝部と前記腹側第２溝部との間隔よりも、複数の前記中央第２溝部同士の間隔の方が狭いことを特徴とする請求項１に記載の吸収性物品。
【請求項３】
前記吸収体のうち、前記腹側第２溝部よりも前記長手方向一端側の部分には、当該吸収体の幅方向略中央を基点として、前記背側部から前記腹側部に向けて開く略Ｖ字状の第３溝部が設けられていることを特徴とする請求項１又は２に記載の吸収性物品。
【請求項４】
前記腹側第２溝部と前記第３溝部とは離間していることを特徴とする請求項３に記載の吸収性物品。
【請求項５】
前記吸収体は、
前記表面シート側に配設された第１吸収体と、
前記裏面シート側に配設された第２吸収体とからなり、
前記第１溝部と、前記中央第２溝部とは、前記第２吸収体に設けられており、
前記第１溝部のうち前記腹側部に配された部分と、前記腹側第２溝部と、前記第３溝部とは、前記第１吸収体に設けられていることを特徴とする請求項３又は４に記載の吸収性物品。
【請求項６】
前記第２溝部には、前記背側部に配された背側第２溝部が含まれており、
前記吸収体のうち、前記背側第２溝部よりも前記長手方向他端側の部分は、その他の部分よりも厚いことを特徴とする請求項１から５の何れか一項に記載の吸収性物品。
【請求項７】
前記裏面シートが内側となるように当該吸収性物品を前記長手方向に沿って二つ折りした状態で、前記裏面シートの幅方向一端部と他端部とは離脱自在に固着されていることを特徴とする請求項１から６の何れか一項に記載の吸収性物品。
【発明の詳細な説明】
【技術分野】
【０００１】
本発明は、吸収性物品に関する。
【背景技術】
【０００２】
従来、使い捨ておむつや、おむつカバー等の外装体の内側に取り付けられて使用される吸収パッドなどの吸収性物品が知られている。
このような吸収性物品として、例えば、脚の付根部分等へのフィット性を向上させるために、幅方向中央で前後方向に延在する中央易折れ部と、前後方向かつ幅方向の中央部から前後方向端縁側に向かって延在する一対で略Ｖ字状又は略ハ字状の側部易折れ部とが設けられた吸収性物品（特許文献１参照）や、股間へのフィット性を向上させるために、吸収体（吸収層）の表面および裏面に長手方向に沿う溝が設けられた吸収性物品（特許文献２参照）などが知られている。
【先行技術文献】
【特許文献】
【０００３】
【特許文献１】特開２００８−１８３１６０号公報
【特許文献２】特開２００５−３４６５２号公報
【発明の概要】
【発明が解決しようとする課題】
【０００４】
ところで、拘縮や筋力の衰えなどにより股が開きにくい人に吸収性物品を装着する際、吸収性物品を股間の隙間に差し込んで引き出す必要があるが、体幹や骨盤がねじれていたり膝が内側を向いていたり脚が交差していたりして股間の隙間が狭い場合には、吸収性物品を引き出しにくいという問題がある。
また、股間の隙間が狭い場合には、特許文献１のように中央易折れ部や側部易折れ部を設けたり、特許文献２のように長手方向に沿う溝を設けたりしても、吸収性物品が身体にフィットしにくいという問題がある。
【０００５】
本発明の課題は、股を大きく開くことができない人にも、装着作業が容易でフィット性が良好な吸収性物品を提供することである。
【課題を解決するための手段】
【０００６】
前記課題を解決するために、請求項１に記載の発明は、
透液性の表面シートと、裏面シートと、前記表面シートと前記裏面シートとの間に介装される吸収体とを備える吸収性物品において、
当該吸収性物品の長手方向一端部が、装着時に着用者の腹側に位置する腹側部を形成し、
当該吸収性物品の長手方向他端部が、装着時に着用者の背側に位置する背側部を形成し、
当該吸収性物品の長手方向中央部が、装着時に着用者の股間に位置する股間部を形成し、
前記吸収体には、
当該吸収体の幅方向略中央にて、前記長手方向に延在する略直線状の第１溝部と、
当該吸収体の幅方向略中央を基点として、前記腹側部から前記背側部に向けて開く略Ｖ字状の第２溝部とが設けられており、
前記第２溝部には、
前記腹側部に配された腹側第２溝部と、
前記股間部に配された中央第２溝部とが含まれており、
前記中央第２溝部は、前記腹側第２溝部よりも、前記背側部に向けて開く角度が小さいことを特徴とする。
【０００７】
請求項２に記載の発明は、請求項１に記載の吸収性物品において、
前記中央第２溝部は、複数設けられており、
複数の前記中央第２溝部のうち最も前記腹側第２溝部に近い中央第２溝部と前記腹側第２溝部との間隔よりも、複数の前記中央第２溝部同士の間隔の方が狭いことを特徴とする。
【０００８】
請求項３に記載の発明は、請求項１又は２に記載の吸収性物品において、
前記吸収体のうち、前記腹側第２溝部よりも前記長手方向一端側の部分には、当該吸収体の幅方向略中央を基点として、前記背側部から前記腹側部に向けて開く略Ｖ字状の第３溝部が設けられていることを特徴とする。
【０００９】
請求項４に記載の発明は、請求項３に記載の吸収性物品において、
前記腹側第２溝部と前記第３溝部とは離間していることを特徴とする。
【００１０】
請求項５に記載の発明は、請求項３又は４に記載の吸収性物品において、
前記吸収体は、
前記表面シート側に配設された第１吸収体と、
前記裏面シート側に配設された第２吸収体とからなり、
前記第１溝部と、前記中央第２溝部とは、前記第２吸収体に設けられており、
前記第１溝部のうち前記腹側部に配された部分と、前記腹側第２溝部と、前記第３溝部とは、前記第１吸収体に設けられていることを特徴とする。
【００１１】
請求項６に記載の発明は、請求項１から５の何れか一項に記載の吸収性物品において、
前記第２溝部には、前記背側部に配された背側第２溝部が含まれており、
前記吸収体のうち、前記背側第２溝部よりも前記長手方向他端側の部分は、その他の部分よりも厚いことを特徴とする。
【００１２】
請求項７に記載の発明は、請求項１から６の何れか一項に記載の吸収性物品において、
前記裏面シートが内側となるように当該吸収性物品を前記長手方向に沿って二つ折りした状態で、前記裏面シートの幅方向一端部と他端部とは離脱自在に固着されていることを特徴とする。
【発明の効果】
【００１３】
本発明によれば、吸収体に吸収性物品の長手方向に延在する略直線状の第１溝部が設けられているので、吸収性物品は、当該吸収性物品の長手方向に沿って二つ折りにすると、折り山の嵩張りが抑えられた、着用者の股間の隙間に通しやすい形状になる。したがって、股間の隙間が狭くても、長手方向に沿って二つ折りした吸収性物品を着用者の股間の隙間に差し込んで引き出す作業が行いやすくなる。
また、吸収体に腹側部から背側部に向けて開く略Ｖ字状の第２溝部が設けられているので、折り山が着用者の股間の隙間に通しやすい形状になるとともに、吸収性物品の動きの自由度が高まる。したがって、股間の隙間が狭くても、長手方向に沿って二つ折りした吸収性物品を引き出す作業が行いやすくなる。
また、股間部に配された中央第２溝部の開く角度が、腹側部に配された腹側第２溝部の開く角度よりも小さいので、股間部（すなわち、股間の隙間に差し込んだ吸収性物品の引き出し時に股間の隙間を通る部分）に形成される折り山が、狭い股間の隙間に通しやすい形状になる。したがって、股間の隙間が狭くても、長手方向に沿って二つ折りした吸収性物品を引き出す作業が行いやすくなる。
よって、股を大きく開くことができない人にも、装着作業が容易であり、介助者の負担を軽減することができる。
【００１４】
また、股間部に、背側部に向けて開く角度がより小さい中央第２溝部が配されているので、股間部が着用者の股間にフィットしやすくなる。また、腹側部に、背側部に向けて開く角度がより大きい腹側第２溝部が配されているので、腹側部が着用者の腹側にフィットしやすくなる。
よって、股を大きく開くことができない人にも、フィット性が良好である。
【図面の簡単な説明】
【００１５】
【図１】吸収性物品の装着時の状態の一例を示す斜視図である。
【図２】図１の吸収性物品の下側の平面展開図である。
【図３】図１の吸収性物品の上側の平面展開図である。
【図４】図３のＩＶ−ＩＶ線における断面図である。
【図５】図３のＶ−Ｖ線における断面図である。
【図６】第１吸収体及び第２吸収体を示す平面図である。
【図７】吸収性物品の各部の構成を説明するための図である。
【図８】吸収性物品の各部の構成を説明するための図である。
【図９】変形例１の吸収性物品を説明するための図である。
【図１０】変形例２の吸収性物品を説明するための図である。
【図１１】変形例３の吸収性物品を説明するための図である。
【発明を実施するための形態】
【００１６】
以下、図を参照して、本発明の実施の形態を詳細に説明する。ただし、発明の範囲は、図示例に限定されない。
【００１７】
なお、以下の説明では、本実施形態における吸収性物品１を展開した状態において、装着時に人体（着用者）の腹側に位置する側を前側、背側に位置する側を後側、着用者に接触する側を上側、着用者に接触する側とは反対側を下側とし、前後方向と上下方向との双方に直交する方向を左右方向とする。
【００１８】
吸収性物品１は、例えば拘縮や筋力の衰えなどにより股を大きく開くことのできない人用の尿取りパッドであり、おむつやおむつカバー、パンツなどの人体に装着される外装体（図示省略）に着脱・交換自在に取り付けられて使用される。
【００１９】
図１〜５に示すように、吸収性物品１は、装着時に着用者の股間を腹側から背側にかけて覆うように形成されている。
具体的には、吸収性物品１の一方の端部（前端部）が装着時に着用者の腹側に位置する腹側部１１を形成し、他方の端部（後端部）が装着時に着用者の背側に位置する背側部１２を形成し、腹側部１１と背側部１２との間が着用者の股間に位置する股間部１３を形成する。
腹側部１１の前部を除く部分と背側部１２と股間部１３とは、左右方向の長さがほぼ等しく、腹側部１１の前部は、前端縁に向けて徐々に幅が広くなる形状となっている。すなわち、腹側部１１の前部には、左右方向外側に向けて延出する延出部１１ａ，１１ａが形成されている。
また、股間部１３の両縁部は、腹側部１１から背側部１２に亘って、装着時に着用者の脚周りに位置する二つの脚周り部１４，１４を形成する。
【００２０】
吸収性物品１は、装着時に着用者との接触面側（上側）に設けられる透液性の表面シート２０と、装着時に着用者との接触面とは反対側（下側）に設けられる裏面シート３０と、表面シート２０と裏面シート３０との間に介装される吸収体６０と、表面シート２０側の吸収体６０の幅方向両側縁部（左側縁部及び右側縁部）に、吸収性物品１の長手方向（前後方向）に沿って備えられたギャザーシート５０，５０とにより主に構成される。
【００２１】
表面シート２０は、吸収性物品１を装着した際に着用者に接する面を形成し、吸収体６０の上側に設けられ、尿などの水様成分を含む体液等を受けて、吸収体６０まで輸送する役割を果たす、透液性のシートである。
透液性シートとしては、例えば、ナイロン、ポリエチレンテレフタレート等の糸を平織り等したネット状のシート素材、多数の透孔を形成したフィルムシート材、ポリエチレンやポリプロピレンなどのフィルムシート材、透液性を有する織布、不織布が適し、特に不織布が適する。不織布としては、ポリエチレンやポリプロピレンなどのオレフィン系、ポリエステル系、ポリアミド系等の合成繊維、レーヨンやキュプラなどの再生繊維、綿等の天然繊維を繊維素材として、スパンレース法、スパンボンド法、サーマルボンド法、メルトブローン法、ニードルパンチ法等の適宜の加工法によって加工したものを用い得る。
【００２２】
裏面シート３０は、吸収体６０の下側に設けられ、体液等の吸収性物品１外部への染み出し、漏れ出しを防ぐ役割を果たす、不透液性のシートである。
不透液性シートとしては、例えば、ポリエチレンやポリプロピレンなどの少なくとも遮水性を有するシート材であって、ムレ防止の観点から透湿性を有するシート材であることが好ましい。この遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材が好適に用いられる。
またその他にも、不透液性を有するフィルム層と、通気性を有する不織布層と、からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
【００２３】
なお、裏面シート３０は、必ずしも不透液性のシートでなくてもよい。
また、裏面シート３０の表面シート２０側の面とは反対側の面（下面）は、不織布で覆われていてもよい。これにより、裏面シート３０の傷付きを防止することができる。また、クロスライクさが得られるため、見た目にムレ難さを与えることができるとともに、着用者の肌への負担を軽減させることができる。裏面シート３０の下面を覆う不織布としては、例えば、ケミカルボンド不織布、サーマルボンド不織布、スパンレース不織布、スパンボンド不織布、メルトブローン不織布、ヒートロール不織布、エアスルー不織布、不透液性不織布、あるいはこれらの組み合わせからなるシートが挙げられるが、これらに限られるものではない。
【００２４】
ギャザーシート５０，５０は、表面シート２０側における吸収体６０の幅方向両側縁部（左側縁部及び右側縁部）に、腹側部１１から背側部１２に亘り吸収体６０の長手方向に沿ってそれぞれ備えられている。
ギャザーシート５０は、例えば不透液性のシートからなり、二つ折りにして折り合わされた面を、例えば、ホットメルトやヒートシール、超音波シールなどによって固着することにより形成されている。そして、ギャザーシート５０の折り合わされた面の間には、前後方向に沿って糸ゴム等の弾性部材５０１，５０２が挟み込まれている。
【００２５】
ギャザーシート５０の左右方向外側の部分は、吸収体６０の側方で表面シート２０及び裏面シート３０の上面に固着された固着部分となっており、ギャザーシート５０の左右方向内側の部分は、表面シート２０及び裏面シート３０に固着されていない非固着部分となっている。非固着部分は、固着部分と非固着部分との境界点を折り返し起点として左右方向外側に折り返されており、ギャザーシート５０の長手方向両端部（前端部及び後端部）においては、非固着部分が折り返された状態で、非固着部分と固着部分とが固着されている。
【００２６】
弾性部材５０１，５０２は、ギャザーシート５０の非固着部分の折り返し起点と、非固着部分の先端とに備えられている。
具体的には、非固着部分の先端には、立体ギャザー用弾性部材５０１が備えられており、これにより、起立して着用者の体型に合わせて伸縮自在に変形可能な立体ギャザー４０が形成されている。
また、非固着部分の折り返し起点には、脚周り部１４に平面ギャザーを形成するための平面ギャザー用弾性部材５０２が備えられている。これにより、脚周り部１４が着用者の脚周りに伸縮自在にフィットするため、横漏れを抑制できるとともに、着用者の身体の動きに追従しやすく吸収性物品１がズレにくくなっている。また、当該平面ギャザーによって吸収性物品１が自然に湾曲するため、立体ギャザー４０，４０を着用者の股間により密着させることができる。
【００２７】
吸収体６０は、その長手方向の長さが、吸収性物品１の長手方向の長さとほぼ等しくなるように、腹側部１１から股間部１３を通り背側部１２に亘る位置に配置され、吸収性物品１の使用時に体液等を吸収する役割を果たすものである。
吸収体６０は、表面シート２０側に配設された第１吸収体６１と、裏面シート３０側に配設された第２吸収体６２とからなる二層構造となっている。そして、第１吸収体６１と第２吸収体６２との間には、クレープ紙や透液性の不織布や孔開きシートなどの透液性のシート材６３が配設されており、これにより、溝部（後述）を形成した第１吸収体６１や第２吸収体６２の形状を効果的に維持することが可能となっている。なお、第１吸収体６１と第２吸収体６２との間に、シート材６３は、配設されていなくてもよい。
【００２８】
第１吸収体６１は、綿やパルプなどの吸収性素材や、繊維あるいはフィルム等のシート状基材に、高吸水性樹脂を混入したものが使用される。
なお、高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
また、第１吸収体６１は、形状保持等のために、例えば、クレープ紙や透液性の不織布や孔開きシートなどの透液性の被覆部材によって囲繞することが望ましい。
【００２９】
第２吸収体６２は、綿やパルプなどの吸収性素材や、繊維あるいはフィルム等のシート状基材に、高吸水性樹脂を混入したものが使用される。
なお、高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
また、第２吸収体６２は、形状保持等のために、例えば、クレープ紙や透液性の不織布や孔開きシートなどの透液性の被覆部材によって囲繞することが望ましい。
また、図示では省略したが、吸収体６０（第１吸収体６１、第２吸収体６２、シート材６３）は、形状保持等のために、例えば、透液性の被覆部材によって囲繞されていてもよい。
【００３０】
ここで、拘縮や筋力の衰えなどにより股が開きにくい人に吸収性物品１を装着する際には、まず吸収性物品１を表面シート２０が外側、裏面シート３０が内側となるように前後方向（長手方向）に沿って二つ折りし、次いで当該吸収性物品１の腹側部１１を着用者の臀部側から股間の隙間に差し込み、次いで当該吸収性物品１の腹側部１１を持って（摘んで）、当該吸収性物品１を適正位置まで引き出し、その後、当該吸収性物品１をひろげて（すなわち、二つ折り状態を解除して）、腹側部１１で着用者の腹側を、背側部１２で着用者の背側を覆うようになっている。
従来の吸収性物品では、着用者の股間の隙間が狭い場合には、吸収性物品を適正位置まで引き出しにくい、吸収性物品が着用者の身体にフィットしにくい等の問題がある。
そこで、本実施形態の吸収性物品１では、これらの問題を解消するために、吸収体６０に溝部（スリット）を設けている。
【００３１】
具体的には、例えば図３に示すように、吸収体６０には、当該吸収体６０（吸収性物品１）の幅方向（左右方向）略中央にて、当該吸収体６０（吸収性物品１）の長手方向（前後方向）に延在する略直線状の第１溝部７１が設けられている。
このように、吸収体６０に第１溝部７１を設けることで、吸収性物品１を当該吸収性物品１の長手方向に沿って二つ折りした際に、折り山が嵩張りにくくなる。したがって、吸収性物品１は、当該吸収性物品１の長手方向に沿って二つ折りにすると、折り山の嵩張りが抑えられた、着用者の股間の隙間に通しやすい形状になる。
【００３２】
また、吸収体６０には、当該吸収体６０（吸収性物品１）の幅方向（左右方向）略中央を基点として、腹側部１１（前側）から背側部１２（後側）に向けて開く略Ｖ字状の第２溝部７２が設けられている。
このように、吸収体６０に第２溝部７２を設けることで、股間の隙間に差し込んだ吸収性物品１を引き出す際、折り山は、第２溝部７２の先細りしている側（基点側）の部分から股間の隙間に入り込み、くさびのように股間の隙間を押し広げながら進行していくこととなる。さらに、例えば股間の隙間が狭い場合には、吸収性物品１を左右にねじったり蛇行させたりしながら引き出すことがあるが、吸収体６０に第２溝部７２を設けることで、吸収性物品１の動きの自由度が高まり、吸収性物品１を左右にねじったり蛇行させたりしやすくなるので、吸収性物品１が引き出しやすくなる。
【００３３】
本実施形態の場合、吸収体６０には、第２溝部７２として、主に腹側部１１に配された腹側第２溝部７２ａと、主に股間部１３に配された中央第２溝部７２ｂと、主に背側部１２に配された背側第２溝部７２ｃとが設けられている。
ここで、本実施形態では、着用者の排尿口に対応する位置Ｐ１から肛門に対応する位置Ｐ２までの部分Ｐ（図７参照）よりも前側を腹側部１１とし、後側を背側部１２とし、腹側部１１と背側部１２との間の部分（部分Ｐを含む部分）を股間部１３とする。
なお、腹側第２溝部７２ａは、少なくとも基点が腹側部１１に配置されていればよく、腹側第２溝部７２ａの開いた側（基点とは反対側）の部分は、腹側部１１に配置されていてもよいし、図７等に示すように股間部１３まで延びていてもよい。
また、中央第２溝部７２ｂは、少なくとも基点が股間部１３に配置されていればよく、中央第２溝部７２ｂの開いた側（基点とは反対側）の部分は、股間部１３に配置されていてもよいし、図７等に示すように背側部１２まで延びていてもよい。なお、図７等では、最も後側にある中央第２溝部７２ｂの開いた側の部分のみを背側部１２まで延ばしているが、これに限ることはなく、その他の中央第２溝部７２ｂの開いた側の部分も、背側部１２まで延ばしてもよい。
また、背側第２溝部７２ｃは、少なくとも開いた側（基点とは反対側）の部分が背側部１２に配置されていればよく、背側第２溝部７２ｃの基点は、背側部１２に配置されていてもよいし、図７等に示すように股間部１３に配置されていてもよい。
【００３４】
そして、中央第２溝部７２ｂは、腹側第２溝部７２ａよりも、背側部１２（後側）に向けて開く角度が小さくなるよう構成されている。
具体的には、第１溝部７１に対する腹側第２溝部７２ａの角度θ１（図８参照）は、４５°よりも大きく、より好ましくは４５°よりも大きく６０°以下である。すなわち、腹側第２溝部７２ａの開く角度は、９０°よりも大きく、より好ましくは９０°よりも大きく１２０°以下である。角度θ１を４５°よりも大きく（より好ましくは、４５°よりも大きく６０°以下に）することで、着用者の腹側に対する腹側部１１のフィット性が向上する。
また、第１溝部７１に対する中央第２溝部７２ｂの角度θ２（図８参照）は、４５°未満であり、より好ましくは２５°以上で４５°未満である。すなわち、中央第２溝部７２ｂの開く角度は、９０°未満であり、より好ましくは５０°以上で９０°未満である。角度θ２を４５°未満に（より好ましくは、２５°以上で４５°未満に）することで、中央第２溝部７２ｂの先細りしている側（基点側）の部分が、狭い股間の隙間に入り込むことができる程度に鋭くなるとともに、着用者の股間に対する股間部１３のフィット性が向上する。
なお、本実施形態では、第１溝部７１に対する背側第２溝部７２ｃの角度θ３（図８参照）を、角度θ２と同じにしたが、これに限ることはなく、角度θ３は、適宜任意に変更可能であり、角度θ１と同じであってもよいし、それ以外の角度であってもよい。
【００３５】
このように、中央第２溝部７２ｂの開く角度を、腹側第２溝部７２ａの開く角度よりも小さくすることで、腹側第２溝部７２ａの先細りしている側の部分よりも、中央第２溝部７２ｂの先細りしている側の部分の方が鋭くなる。したがって、股間部１３（すなわち、股間の隙間に差し込んだ吸収性物品１の引き出し時に股間の隙間を通る部分）に形成される折り山が、腹側部１１に形成される折り山よりも、狭い股間の隙間に通しやすい形状になる。
また、股間部１３に、開く角度がより小さい中央第２溝部７２ｂが配されているので、着用者の股間の隙間が狭い場合であっても、股間部１３が着用者の股間にフィットしやすくなる。また、腹側部１１に、開く角度がより大きい腹側第２溝部７２ａが配されているので、腹側部１１が着用者の腹側にフィットしやすくなる。
【００３６】
また、中央第２溝部７２ｂは、複数（本実施形態の場合、３個）設けられており、複数の中央第２溝部７２ｂのうち最も腹側第２溝部７２ａに近い中央第２溝部７２ｂ（すなわち、最も前側にある中央第２溝部７２ｂ）と腹側第２溝部７２ａとの間隔Ｓ１（図８参照）よりも、複数の中央第２溝部７２ｂ同士の間隔Ｓ２（図８参照）の方が狭くなるよう構成されている。
最も前側にある中央第２溝部７２ｂと腹側第２溝部７２ａとの間隔Ｓ１及び中央第２溝部７２ｂ同士の間隔Ｓ２は、適宜任意に設定可能であるが、間隔Ｓ１は４ｃｍが好ましく、間隔Ｓ２は２ｃｍが好ましい。
なお、本実施形態では、最も後側にある中央第２溝部７２ｂと背側第２溝部７２ｃとの間隔Ｓ３（図８参照）を、間隔Ｓ２と同じにしたが、これに限ることはなく、間隔Ｓ３は、適宜任意に変更可能であり、間隔Ｓ１と同じであってもよいし、それ以外の間隔であってもよい。
【００３７】
このように、股間部１３に複数の中央第２溝部７２ｂを狭い間隔で配することで、股間部１３に、股間の隙間に入り込みやすい先細りしている側（基点側）の部分を高密度で形成することができる。したがって、股間部１３（すなわち、股間の隙間に差し込んだ吸収性物品１の引き出し時に股間の隙間を通る部分）に形成される折り山が、狭い股間の隙間に通しやすい形状になる。なお、複数の中央第２溝部７２ｂは、図７に示すように、部分Ｐのうち、排尿口に対応する位置Ｐ１よりも２ｃｍほど後側の位置から、肛門に対応する位置Ｐ２に亘る部分に配されていることが好ましい。この部分は、臀部の肉によって特に股間幅が狭くなりやすく、吸収性物品を当てにくい部分であるため、この部分に、複数の中央第２溝部７２ｂを狭い間隔で配することで、吸収性物品１が当てやすくなる。
また、股間部１３に複数の中央第２溝部７２ｂを狭い間隔で配することで、股間部１３では吸収体６０が細かく分かれた状態となるので、股間部１３が着用者の股間の隙間に合わせて変形しやすくなる。
【００３８】
また、吸収体６０のうち、腹側第２溝部７２ａよりも長手方向一端側（前側）の部分には、当該吸収体６０（吸収性物品１）の幅方向（左右方向）略中央を基点として、背側部１２（後側）から腹側部１１（前側）に向けて開く略Ｖ字状の第３溝部７３が設けられている。
このように、腹側部１１に腹側第２溝部７２ａだけでなく第３溝部７３も配することで、長手方向に沿って二つ折りした吸収性物品１の腹側部１１を着用者の股間の隙間に差し込んで適正位置まで引き出した後、当該腹側部１１をひろげると、当該腹側部１１が自然に着用者側に倒れた状態となる。
なお、本実施形態では、第１溝部７１に対する第３溝部７３の角度を、角度θ１と同じにしたが、これに限ることはなく、第１溝部７１に対する第３溝部７３の角度は、適宜任意に変更可能である。
【００３９】
前述したように、吸収体６０は、表面シート２０側に配設された第１吸収体６１と、裏面シート３０側に配設された第２吸収体６２とからなる。
本実施形態の場合、図６（ｂ）に示すように、第１溝部７１と、中央第２溝部７２ｂとは、第２吸収体６２に設けられている。
また、図６（ａ）に示すように、第１溝部７１のうち腹側部１１に配された部分と、腹側第２溝部７２ａと、背側第２溝部７２ｃと、第３溝部７３とは、第１吸収体６１に設けられている。
このように、第１溝部７１と、中央第２溝部７２ｂとを、裏面シート３０側に配設された第２吸収体６２に設けることで、すなわち、第１溝部７１と、中央第２溝部７２ｂとを、表面シート２０側に配設された第１吸収体６１に設けないようにすることで、表面シート２０を介して、吸収体６０の表面側（表面シート２０側）を着用者の股間に面で当てることが可能となる。
また、腹側第２溝部７２ａと第３溝部７３とを、表面シート２０側に配設された第１吸収体６１に設けることで、腹側部１１が表面側（表面シート２０側）から摘みやすくなる。
また、第１溝部７１のうち腹側部１１に配された部分が、表面シート２０側に配設された第１吸収体６１にも設けられているので、腹側部１１を表面側（表面シート２０側）から摘むだけで、吸収性物品１を当該吸収性物品１の長手方向に沿って二つ折りすることが可能となる。
【００４０】
なお、着用者の排尿口に対応する位置Ｐ１から肛門に対応する位置Ｐ２までの部分Ｐの前後方向の長さＬ（図７参照）は、排尿口から肛門までの一般的な直線距離よりも長い方が好ましい。具体的には、長さＬは、８ｃｍ以上で１５ｃｍ以下が好ましい。
このように、長さＬを、排尿口から肛門までの一般的な直線距離よりも長くすることで、着用者の身体がねじれていても、吸収性物品１を着用者の身体に沿わせやすくなるとともに、第２溝部７２や第３溝部７３を着用者の身体の所望の位置に配置することが可能となる。
【００４１】
また、吸収体６０のうち、背側第２溝部７２ｃよりも長手方向他端側（後側）の部分（図７において水玉ハッチングした部分）は、その他の部分よりも厚い方が好ましい。
このように、吸収体６０のうち背側第２溝部７２ｃよりも長手方向他端側（後側）の部分を分厚く形成することで、吸収性物品１の腹側部１１を着用者の股間の隙間に差し込んで引き出す際に、適正位置を越えて引き出そうとすると、吸収性物品１の背側部１２が着用者の臀部に突っ掛かるので、吸収性物品１を引き出し過ぎることを抑制することが可能となる。
【００４２】
以上のように、本実施形態によれば、透液性の表面シート２０と、裏面シート３０と、表面シート２０と裏面シート３０との間に介装される吸収体６０とを備える吸収性物品１において、当該吸収性物品１の長手方向一端部（本実施形態の場合、前端部）が、装着時に着用者の腹側に位置する腹側部１１を形成し、当該吸収性物品１の長手方向他端部（本実施形態の場合、後端部）が、装着時に着用者の背側に位置する背側部１２を形成し、当該吸収性物品１の長手方向中央部が、装着時に着用者の股間に位置する股間部１３を形成し、吸収体６０には、当該吸収体６０の幅方向略中央にて、吸収性物品１（当該吸収体６０）の長手方向に延在する略直線状の第１溝部７１と、当該吸収体６０の幅方向略中央を基点として、腹側部１１（長手方向一端側）から背側部１２（長手方向他端側）に向けて開く略Ｖ字状の第２溝部７２とが設けられており、第２溝部７２には、腹側部１１に配された腹側第２溝部７２ａと、股間部１３に配された中央第２溝部７２ｂとが含まれており、中央第２溝部７２ｂは、腹側第２溝部７２ａよりも、背側部１２に向けて開く角度が小さくなるよう構成されている。
【００４３】
このように、吸収体６０に吸収性物品１の長手方向に延在する略直線状の第１溝部７１を設けることで、吸収性物品１は、当該吸収性物品１の長手方向に沿って二つ折りにすると、折り山の嵩張りが抑えられた、着用者の股間の隙間に通しやすい形状になるので、股間の隙間が狭くても、長手方向に沿って二つ折りした吸収性物品１を着用者の股間の隙間に差し込んで引き出す作業が行いやすくなる。
また、吸収体６０に腹側部１１から背側部１２に向けて開く略Ｖ字状の第２溝部７２を設けることで、折り山が着用者の股間の隙間に通しやすい形状になるとともに、吸収性物品１の動きの自由度が高まるので、股間の隙間が狭くても、長手方向に沿って二つ折りした吸収性物品１を引き出す作業が行いやすくなる。
また、股間部１３に配された中央第２溝部７２ｂの開く角度を、腹側部１１に配された腹側第２溝部７２ａの開く角度よりも小さくすることで、股間部１３（すなわち、股間の隙間に差し込んだ吸収性物品１の引き出し時に股間の隙間を通る部分）に形成される折り山が、狭い股間の隙間に通しやすい形状になるので、股間の隙間が狭くても、長手方向に沿って二つ折りした吸収性物品１を引き出す作業が行いやすくなる。
よって、股を大きく開くことができない人にも、装着作業が容易であり、介助者の負担を軽減することができる。
【００４４】
また、股間部１３に、背側部１２に向けて開く角度がより小さい中央第２溝部７２ｂが配されているので、股間部１３が着用者の股間にフィットしやすくなる。また、腹側部１１に、背側部１２に向けて開く角度がより大きい腹側第２溝部７２ａが配されているので、腹側部１１が着用者の腹側にフィットしやすくなる。
よって、股を大きく開くことができない人にも、フィット性が良好である。
なお、本実施形態では、第１溝部７１を、吸収体６０の前端縁から後端縁にかけて設けたが、これに限ることはなく、第１溝部７１は、少なくとも股間部１３に配されていればよい。
【００４５】
また、本実施形態によれば、中央第２溝部７２ｂは、複数設けられており、複数の中央第２溝部７２ｂのうち最も腹側第２溝部７２ａに近い中央第２溝部７２ｂと腹側第２溝部７２ａとの間隔Ｓ１よりも、複数の中央第２溝部７２ｂ同士の間隔Ｓ２の方が狭くなるよう構成されている。
【００４６】
このように、股間部１３に複数の中央第２溝部７２ｂを狭い間隔で配することで、股間部１３（すなわち、着用者の股間の隙間に差し込んだ吸収性物品１の引き出し時に股間の隙間を通る部分）に形成される折り山が、狭い股間の隙間に通しやすい形状になるので、股間の隙間が狭くても、吸収性物品１を引き出す作業が行いやすくなる。
また、股間部１３に複数の中央第２溝部７２ｂを狭い間隔で配することで、股間部１３では吸収体６０が細かく分かれた状態となるので、股間の隙間が狭くても、着用者の股間にフィットしやすくなる。
【００４７】
なお、本実施形態では、中央第２溝部７２ｂを３個設けたが、これに限ることはなく、中央第２溝部７２ｂの個数は複数であれば任意である。また、中央第２溝部７２ｂの個数は１個であってもよい。
また、中央第２溝部７２ｂ同士の間隔Ｓ２は、最も腹側第２溝部７２ａに近い中央第２溝部７２ｂと腹側第２溝部７２ａとの間隔Ｓ１と同じであってもよいし、間隔Ｓ１よりも広くてもよい。
【００４８】
また、本実施形態によれば、吸収体６０のうち、腹側第２溝部７２ａよりも長手方向一端側（本実施形態の場合、前側）の部分には、当該吸収体６０の幅方向略中央を基点として、背側部１２（長手方向他端側）から腹側部１１（長手方向一端側）に向けて開く略Ｖ字状の第３溝部７３が設けられている。
【００４９】
このように、腹側部１１に腹側第２溝部７２ａだけでなく第３溝部７３も配することで、腹側部１１が自然に着用者側に倒れた状態となるので、腹側部１１が、着用者の腹側によりフィットしやすくなる。
【００５０】
また、本実施形態によれば、吸収体６０は、表面シート２０側に配設された第１吸収体６１と、裏面シート３０側に配設された第２吸収体６２とからなり、第１溝部７１と、中央第２溝部７２ｂとは、第２吸収体６２に設けられており、第１溝部７１のうち腹側部１１に配された部分と、腹側第２溝部７２ａと、第３溝部７３とは、第１吸収体６１に設けられている。
【００５１】
このように、第１溝部７１と、中央第２溝部７２ｂとを、裏面シート３０側に配設された第２吸収体６２に設けることで、表面シート２０を介して、吸収体６０の表面側を着用者の股間に面で当てることが可能となるので、股間部１３が着用者の股間にフィットしやすくなる。
また、腹側第２溝部７２ａと第３溝部７３とを、表面シート２０側に配設された第１吸収体６１に設けることで、腹側部１１が表面側から摘みやすくなるので、吸収性物品１が引き出しやすくなる。
また、第１溝部７１のうち腹側部１１に配された部分を、表面シート２０側に配設された第１吸収体６１にも設けることで、吸収性物品１を片手で二つ折りにすることが可能となるので、装着作業が容易となる。
【００５２】
なお、吸収体６０は、二層構造に限ることはなく、その他の多層構造（三層構造等）であってもよいし、一層構造であってもよい。
例えば吸収体６０が三層構造である場合、第１溝部７１のうち腹側部１１に配された部分と腹側第２溝部７２ａと第３溝部７３とが設けられた第１吸収体６１と、第１溝部７１と中央第２溝部７２ｂとが設けられた第２吸収体６２との間に、第３吸収体を設けるとよい。
また、吸収体６０が一層構造である場合、すなわち第１吸収体６１のみから構成される場合、溝部７１，７２，７３はすべて第１吸収体６１に設けられる。
【００５３】
また、本実施形態によれば、第２溝部７２には、背側部１２に配された背側第２溝部７２ｃが含まれており、吸収体６０のうち、背側第２溝部７２ｃよりも長手方向他端側（本実施形態の場合、後側）の部分を、その他の部分よりも厚く形成することが可能である。
【００５４】
このように、吸収体６０のうち背側第２溝部７２ｃよりも長手方向他端側（後側）の部分を分厚く形成することで、着用者に対する吸収性物品１の位置決めを容易に行うことができるので、装着作業が容易となる。
なお、吸収体６０のうち背側部１２に配される部分を、その他の部分よりも厚く形成することも可能であり、この場合も、着用者に対する吸収性物品１の位置決めを容易に行うことができることとなる。
【００５５】
＜変形例１＞
吸収性物品１は、裏面シート３０が内側となるように当該吸収性物品１を長手方向（前後方向）に沿って二つ折りした状態で、裏面シート３０の幅方向一端部（左端部）と他端部（右端部）とが離脱自在に固着されていてもよい。
このように、裏面シート３０が内側となるように当該吸収性物品１を長手方向に沿って二つ折りした状態で、裏面シート３０の幅方向一端部（左端部）と他端部（右端部）とを離脱自在に固着することで、股間の隙間に差し込んだ吸収性物品１を引き出す際に、吸収性物品１を左右にねじったり蛇行させたりしても、二つ折り状態を維持することができるので、吸収性物品１を引き出す作業が行いやすくなる。また、吸収性物品１を股間の隙間に差し込む作業も行いやすくなる。
また、本実施形態の吸収性物品１のように、腹側部１１の前部に延出部１１ａ，１１ａが設けられている場合には、股間の隙間に差し込んだ吸収性物品１を、延出部１１ａ，１１ａを摘んで引き出すことも可能であるが、裏面シート３０が内側となるように当該吸収性物品１を長手方向（前後方向）に沿って二つ折りした状態で、延出部１１ａ，１１ａ同士を離脱自在に固着することで、延出部１１ａ，１１ａが摘みやすくなる。
【００５６】
ここで、少なくとも吸収性物品１の装着作業時（具体的には、吸収性物品１を股間の隙間に差し込んで引き出すとき）に、裏面シート３０の幅方向一端部と他端部とが固着されていていればよい。
例えば図９に示すように、装着時に着用者に接する面とは反対側の面（裏面シート３０の下面）における腹側部１１の前部の左端部及び右端部に、面ファスナ等の固着部材８０，８０を備えると、その固着部材８０，８０によって、裏面シート３０の左端部と右端部とを着脱自在に固着することが可能となる。この場合、吸収性物品１は、固着部材８０，８０によって裏面シート３０の左端部と右端部が固着された状態で市販されていてもよいし、吸収性物品１の装着作業前に固着部材８０，８０によって裏面シート３０の左端部と右端部を固着するようにしてもよい。
【００５７】
また、ヒートシール等によって、裏面シート３０の左端部と右端部とを離脱自在に固着することも可能である。この場合、吸収性物品１は、例えば、裏面シート３０の左端部と右端部が固着された状態で市販されていており、吸収性物品１の装着作業が完了した後に、その固着を解除するとよい。
【００５８】
＜変形例２＞
図１０に示す吸収性物品１のように、腹側第２溝部７２ａの両端と、背側第２溝部７２ｃの両端と、第３溝部７３の両端とは、吸収体６０の幅方向（左右方向）両端縁に達していてもよい。
このように、腹側第２溝部７２ａの両端と、背側第２溝部７２ｃの両端と、第３溝部７３の両端とが、吸収体６０の幅方向（左右方向）両端縁まで達していると、吸収性物品１が、腹側第２溝部７２ａ、背側第２溝部７２ｃ、第３溝部７３に沿って、着用者側に倒れるように折れ曲がりやすくなるので、フィット性が向上する。
なお、腹側第２溝部７２ａの両端と、背側第２溝部７２ｃの両端と、第３溝部７３の両端とのうちの何れかだけが、吸収体６０の幅方向両端縁に達していてもよい。
【００５９】
＜変形例３＞
また、図１１に示す吸収性物品１のように、腹側第２溝部７２ａと第３溝部７３とは離間していてもよい。
このように、腹側第２溝部７２ａと第３溝部７３とを離間させることで、腹側部１１のうち腹側第２溝部７２ａと第３溝部７３と間の部分を摘みながら吸収性物品１を引き出すことができる。したがって、吸収性物品１が摘みやすくなるので、吸収性物品１が引き出しやすくなる。
また、腹側第２溝部７２ａと第３溝部７３とを離間させることで、装着時に第３溝部７３よりも前側の部分が恥骨に当たりやすくなるので、フィット性が向上する。
【００６０】
なお、腹側第２溝部７２ａと第３溝部７３との間隔Ｓ４は、適宜任意に設定可能であるが、摘みやすさ等の観点から３ｃｍが好ましい。
また、第３溝部７３の基点と吸収体６０の前端縁との距離Ｓ５は、適宜任意に設定可能であるが、恥骨に対するフィット性等の観点から７ｃｍが好ましい。
図１１では、腹側第２溝部７２ａの両端と、背側第２溝部７２ｃの両端と、第３溝部７３の両端とのすべてが、吸収体６０の幅方向両端縁に達しているが、腹側第２溝部７２ａの両端と、背側第２溝部７２ｃの両端と、第３溝部７３の両端とのうちの何れか、あるいは全部が、吸収体６０の幅方向両端縁に達していなくてもよい。
【００６１】
なお、本発明は、上記した実施の形態のものに限るものではなく、その要旨を逸脱しない範囲で適宜変更可能である。
例えば、第１溝部７１、第２溝部、第３溝部７３は、スリットに限られず、例えばエンボス加工等を施すことによって形成された凹部等であってもよい。
また、吸収性物品１は、尿取りパッドに限られず、例えば紙おむつ等であってもよい。
【符号の説明】
【００６２】
１  吸収性物品
１１  腹側部
１２  背側部
１３  股間部
２０  表面シート
３０  裏面シート
６０  吸収体
６１  第１吸収体
６２  第２吸収体
７１  第１溝部
７２  第２溝部
７２ａ  腹側第２溝部
７２ｂ  中央第２溝部
７２ｃ  背側第２溝部
７３  第３溝部
Ｓ１  最も腹側第２溝部に近い中央第２溝部と腹側第２溝部との間隔
Ｓ２  中央第２溝部同士の間隔
【図１】
2014195529.tif 000003
【図２】
2014195529.tif 000004
【図３】
2014195529.tif 000005
【図４】
2014195529.tif 000006
【図５】
2014195529.tif 000007
【図６】
2014195529.tif 000008
【図７】
2014195529.tif 000009
【図８】
2014195529.tif 000010
【図９】
2014195529.tif 000011
【図１０】
2014195529.tif 000012
【図１１】
2014195529.tif 000013